(57)【要約】【課題】自動で洗浄を行う場合のボウル給水、トラップ給水の洗浄シーケンスを容易に変更でき、しかも手動操作でボウル給水及びトラップ給水をそれぞれ単独に給水を可能として掃除時の操作性に優れた便器給水装置の提供。【解決手段】便器ボウル部へ洗浄水を給水するパイロット操作により開閉操作される第１開閉弁と、便器トラップ部へ洗浄水を給水するパイロット操作により開閉操作される第２開閉弁と、第１、２開閉弁を手動操作するための第３、４開閉弁を設けて、手動操作ハンドルを初期状態から一方向に回動することにより第３開閉弁を作動して第１開閉弁を開弁し、前記一方向と反対側の他方向に回動することにより第４開閉弁を作動して第２開閉弁を開弁することを特徴とする便器給水装置。【選択図】  図１
2004308261.tif 000002
【特許請求の範囲】
【請求項１】
便器ボウル部へ洗浄水を給水するパイロット操作により開閉操作される第１開閉弁と、便器トラップ部へ洗浄水を給水するパイロット操作により開閉操作される第２開閉弁と、前記第１開閉弁を操作する第１パイロット操作弁と、前記第２開閉弁を操作する第２パイロット操作弁と、前記第１パイロット操作弁及び第２パイロット操作弁の開閉操作を制御する第１制御手段と、前記第１パイロット操作弁と並列に配設した機械的に開閉操作される第３開閉弁と、前記第２パイロット操作弁と並列に配設した機械的に開閉操作される第４開閉弁と、前記第３開閉弁及び第４開閉弁を回動操作により開閉するための手動操作ハンドルと、前記手動操作ハンドルの機械的操作力を前記第３開閉弁及び第４開閉弁にそれぞれ独立して伝達する伝達手段と、を備え、
前記手動操作ハンドルを初期状態から一方向に回動することより前記第１開閉弁を開弁し、前記一方向と反対側の他方向に回動することより前記第２開閉弁を開弁することを特徴とする便器給水装置。
【請求項２】
便器ボウル部へ洗浄水を給水する第５開閉弁と、便器トラップへ洗浄水を給水する第６開閉弁と、前記第５開閉弁及び第６開閉弁の開閉操作を制御する第２制御手段と、前記第５開閉弁のパイパス給水路に配設した機械的に開閉操作される第７開閉弁と、前記第６開閉弁のパイパス給水路に配設した機械的に開閉操作される第８開閉弁と、前記第７開閉弁及び第８開閉弁を回動操作により開閉するための手動操作ハンドルと、前記手動操作ハンドルの機械的操作力を前記第７開閉弁及び第８開閉弁にそれぞれ独立して伝達する伝達手段と、を備え、
前記手動操作ハンドルを初期状態から一方向に回動することより前記第７開閉弁を開弁し、前記一方向と反対側の他方向に回動することより前記第８開閉弁を開弁することを特徴とする便器給水装置。
【請求項３】
前記伝達手段が前記手動操作ハンドルに連結した回転軸で、前記操作ハンドルと前記回転軸を初期状態の位置に復帰させるための付勢手段を備えたことを特徴とする請求項１または２記載の便器給水装置。
【発明の詳細な説明】
【０００１】
【発明の属する技術分野】
本発明は、便器のボウル部へ洗浄水を給水するボウル給水路と、トラップへ給水するトラップ給水路へ独立して給水を行う便器給水装置に関するものである。
【０００２】
【従来の技術】
便器のボウル部の洗浄及び溜水形成を行うボウル給水路と、便器のトラップに沿って洗浄水を噴出し前記ボウル内の汚物を排出するトラップ給水路とを備え、水洗便器へ洗浄水を供給する便器給水装置の手動による給水操作に関する従来技術としては、例えば特許文献１に記載の流路切替装置がある。
その構成は、複数の流路それぞれに機械的に開閉操作される開閉弁が設けられ、開閉弁を開閉操作するための機械的操作力を伝達するカムが各開閉弁毎に設けられ、各開閉弁へカムを通じて機械的操作力を与えるモータが設けられ、モータから各カムへ機械的操作力が伝達され各開閉弁を開閉し、ボウル給水とトラップ給水を電気的に制御するものである。また、各カムを取り付けた回転軸は、手動操作部と連結され、モータの出力軸との間にクラッチ機構を介設されており、手動操作時の操作力がモータの出力軸に加わらない配慮がなされている。
【０００３】
上記のような構成をとることにより、電動、手動のどちらの操作でも洗浄水を便器に給水することができる。すなわち通常の洗浄の場合は電動操作により洗浄水を給水し、停電などの非常時は手動操作により洗浄水を給水することができる。
【０００４】
【特許文献１】
特開２０００−３０９９７４号公報（図１参照）
【０００５】
【発明が解決しようとする課題】
前記特許文献１記載の流路切替装置においては、各カムを取り付けた回転軸はモータ軸とワンウエイのクラッチ機構を介して接続されているため、電動操作、手動操作に関わらず、回転軸を一方向に回転させてボウル給水、トラップ給水を行わなければならず、ボウル給水、トラップ給水の順番が異なる洗浄シーケンスに対応することができない。
【０００６】
また、ボウル給水、トラップ給水を行う便器の一般的な洗浄シーケンスは、ボウル面を洗浄するボウル給水、汚物を排出するトラップ給水、ボウル面に封水を溜めるボウル給水の順番で行われるため、カムのプロフィールも一方向で所定の給水を行う特定の形状を有している。そのため手動操作時の場合も同様に給水の順番を変えることができない。
【０００７】
また、掃除の際にボウル給水のみ、またはトラップ給水のみにそれぞれ単独で給水することができず、操作性が悪い。
【０００８】
そこで、本発明は、自動で洗浄を行う場合のボウル給水、トラップ給水の洗浄シーケンスを容易に変更でき、しかも手動操作でボウル給水及びトラップ給水をそれぞれ単独に給水を可能として掃除時の操作性に優れた便器給水装置を提供することを目的とする。
【０００９】
【課題を解決するための手段及びその作用・効果】
請求項１記載の本発明は、便器ボウル部へ洗浄水を給水するパイロット操作により開閉操作される第１開閉弁と、便器トラップ部へ洗浄水を給水するパイロット操作により開閉操作される第２開閉弁と、前記第１開閉弁を操作する第１パイロット操作弁と、前記第２開閉弁を操作する第２パイロット操作弁と、前記第１パイロット操作弁及び第２パイロット操作弁の開閉操作を制御する第１制御手段と、前記第１パイロット操作弁と並列に配設した機械的に開閉操作される第３開閉弁と、前記第２パイロット操作弁と並列に配設した機械的に開閉操作される第４開閉弁と、前記第３開閉弁及び第４開閉弁を回動操作により開閉するための手動操作ハンドルと、前記手動操作ハンドルの機械的操作力を前記第３開閉弁及び第４開閉弁にそれぞれ独立して伝達する伝達手段と、を備え、前記手動操作ハンドルを初期状態から一方向に回動することより前記第１開閉弁を開弁し、前記一方向と反対側の他方向に回動することより前記第２開閉弁を開弁することを特徴とする便器給水装置である。
【００１０】
請求項１記載の本発明によれば、自動で洗浄操作を行う場合、第１制御手段により第１パイロット操作弁、第２パイロット操作弁を制御することにより、ボウル給水、トラップ給水の洗浄シーケンスの変更に容易に対応できる。
また、ボウル給水、トラップ給水を行う第１開閉弁、第２開閉弁がパイロット操作により開閉操作される弁であるので、小さな操作力で開弁操作ができ手動操作ハンドルで開弁操作する際も軽い操作力で操作することができる。
また、一つの手動操作ハンドルを初期状態から互いに異なる方向に回動操作してボウル給水操作或いはトラップ給水操作をそれぞれ単独で行うので、便器の清掃時に好みの洗浄水吐水ができる。また、ボウル給水、トラップ給水それぞれ別々の操作手段を設ける必要がなくなり、手動操作手段を設けるためのスペースを小さくすることができる。
【００１１】
請求項２記載の本発明は、便器ボウル部へ洗浄水を給水する第５開閉弁と、便器トラップへ洗浄水を給水する第６開閉弁と、前記第５開閉弁及び第６開閉弁の開閉操作を制御する第２制御手段と、前記第５開閉弁のパイパス給水路に配設した機械的に開閉操作される第７開閉弁と、前記第６開閉弁のパイパス給水路に配設した機械的に開閉操作される第８開閉弁と、前記第７開閉弁及び第８開閉弁を回動操作により開閉するための手動操作ハンドルと、前記手動操作ハンドルの機械的操作力を前記第７開閉弁及び第８開閉弁にそれぞれ独立して伝達する伝達手段と、を備え、
前記手動操作ハンドルを初期状態から一方向に回動することより前記第７開閉弁を開弁し、前記一方向と反対側の他方向に回動することより前記第８開閉弁を開弁することを特徴とする便器給水装置である。
【００１２】
請求項２記載の本発明によれば、自動で洗浄操作を行う場合、第２制御手段により第５開閉弁、第６開閉弁を制御することにより、ボウル給水、トラップ給水の洗浄シーケンスの変更に容易に対応できる。
また、一つの手動操作ハンドルを初期状態から互いに異なる方向に回動操作してボウル給水操作或いはトラップ給水操作をそれぞれ単独で行うので、便器の清掃時に好みの洗浄水吐水ができる。また、ボウル給水、トラップ給水それぞれ別々の操作手段を設ける必要がなくなり、手動操作手段を設けるためのスペースを小さくすることができる。
【００１３】
請求項１または２記載の本発明は、前記伝達手段が前記手動操作ハンドルに連結した回転軸で、前記手動操作ハンドルと前記回転軸を初期状態の位置に復帰させるための付勢手段を備えることを特徴とする。
そうすることにより、洗浄水を吐水する場合は手動操作ハンドルを回動保持して吐水する。吐水を停止する場合は、使用者が手動操作ハンドルから手を離すと付勢手段により回転軸が初期位置に戻りボウル給水またはトラップ給水が停止する。
また、使用者が誤って手動操作ハンドルを操作した場合でも手を離すだけで初期状態に戻るので、誤操作による洗浄水の吐水を自動的に停止することができる。
【００１４】
【発明の実施の形態】
以下、図面を参照して本発明を具体的に説明する。
（第１の実施形態）
図１は、本発明に係る第１の実施形態の便器給水装置とそれを用いた水洗便器の構成図、図２は便器給水装置のバルブ部の概略断面図を示す。
便器給水装置Ａは、バルブ部８、手動駆動部９、電気駆動部１０から構成されている。手動駆動部９または電気駆動部１０によりバルブ部８を操作して、バルブ部８からボウル給水路２を介して便器本体５のボウル１の洗浄及び溜水の形成を行うための吐水を行い、トラップ給水路４を介して前記ボウル１内の汚物を排出するためにトラップ３の入口に向かって洗浄水を吐水するようにしている。
【００１５】
バルブ部８は、水道水を導く導入路１１、導入路１１と連結した給水圧力の変動に応じて開度を調整し洗浄流量を略一定に維持する定流量弁１２、定流量弁１２の２次側で分岐して、ボウル給水路２に給水するための第１開閉弁１３、トラップ給水路４に給水するための第２開閉弁１４を備えている。第１開閉弁１３及び第２開閉弁１４は、パイロット作動式の弁でパイロット流路を開閉することにより開閉する。定流量弁１２は、略台形上のコイルバネ２９式で、コイルバネ２９の空隙面積が前後の圧力差により変化する。圧力差が大きい場合にはコイルバネ２９の変位量が大きくなり空隙面積が低下し、圧力差が小さい場合にはコイルバネ２９の変位量が小さくなり空隙面積が増大する。圧力差の平方根に比例する流速で空隙を通過するので、空隙面積は圧力差の平方根に反比例するようにコイルバネ２９のバネ定数を設定している。定流量弁１２により、給水圧力が変化しても導入路１１を流れる洗浄水の流量は略一定に維持される。
【００１６】
第１開閉弁１３の開閉を制御する第１パイロット流路１５は、第１電磁弁１６と第１手動弁１７とを並列に接続した流路で構成している。また、同様に第２開閉弁１４の開閉を制御する第２パイロット流路１８は、第２電磁弁１９と第２手動弁２０とを並列に接続した流路で構成している。
第１開閉弁１３、第２開閉弁１４を電気的に駆動させる場合、それぞれ第１電磁弁１６、第２電磁弁１９を開閉させる。手動で開閉させる場合は、それぞれ第１手動弁１７、第２手動弁を後述する手動弁開閉手段２２により開閉させる。
【００１７】
第１開閉弁１３は、ダイヤフラム３０と、ダイヤフラム３０の隔壁の一部とする第１圧力室３１と、第１圧力室３１の圧力によりダイヤフラム３０と密着しボウル給水路２を塞ぐ第１弁座３２とから構成している。そして、第１圧力室３１は第１パイロット流路１５と連通し、第１パイロット流路１５は第１電磁弁１６と第１手動弁１７の流路一端部１６ａ、１７ａと連絡している。第１電磁弁１６の流路他端部１６ｂと第１手動弁１７の流路他端部１７ｂとは合流路４８で合流してボウル給水路２と連絡している。第１手動弁１７の流路他端部１７ｂは、後述するカムシャフトを収納する収納空間部８ｂ  と連通し、収納空間部８ｂを流路として利用して合流路４８と連絡している。また、ダイヤフラム３０には導入路１１と第１圧力室３１を連通させるためのブリード穴３６を備えている。
【００１８】
第２開閉弁１４は、ダイヤフラム４０と、ダイヤフラム４０の隔壁の一部とする第２圧力室４１と、第２圧力室４１の圧力によりダイヤフラム４０と密着しトラップ給水路４を塞ぐ第２弁座４２とから構成している。そして、第２圧力室４１は第２パイロット流路１８と連通し、第２パイロット流路１８は第２電磁弁１９と第２手動弁２０の流路一端部１９ａ、２０ａと連絡している。第２電磁弁１９の流路他端部１９ｂと第２手動弁２０の流路他端部２０ｂとは後述するカムシャフトを収納する収納空間部８ｂで連通し、合流路４８と連絡してトラップ給水路４と連絡している。また、ダイヤフラム４０には導入路１１と第２圧力室４１を連通させるためのブリード穴４７を備えている。
【００１９】
第１手動弁１７は、ゴム製パッキン３７と一体化した第１コマ３３と第１パイロット弁座３４と、パッキン３７を第１パイロット弁座３４に密着させる方向に付勢させるコイルバネ３５とからなり、第１コマ３３の押圧部３３ａが収納空間部８ｂ  に突出している。
第１コマ３３を水圧による力とコイルバネ３５の付勢力に逆らって押圧することにより、第１手動弁１７が開弁し、第１圧力室３１の圧力がボウル給水路２とほぼ同じ圧力まで低下し、ダイヤフラム３０に加わる力の釣り合いが崩れ、ダイヤフラム３０が第１弁座３２から離れて第１開閉弁１３が開弁する。第１コマ３３の押し圧力を取り除くと、水圧による力とコイルバネ３５による力によりパッキン３７は、第１パイロット弁座３４に密着し、第１パイロット流路１５が閉じる。第１パイロット流路１５が閉じると、洗浄水は導入路１１からブリード穴３６を通り、第１圧力室３１に流れ込み第１圧力室３１の圧力が導水路１１の圧力と略同じとなり、ダイヤフラム３０が第１弁座３２に密着しボウル給水路２が塞がれる。
【００２０】
第２手動弁２０は、ゴム製パッキン４３と一体化した第２コマ４４と第２パイロット弁座４５と、パッキン４３を第２パイロット弁座４５に密着させる方向に付勢させるコイルバネ４６とからなり、第２コマ４４の押圧部４４ａが収納空間部８ｂ  に突出している。
第２コマ４４を水圧による力とコイルバネ４７の付勢力に逆らい押圧することにより、第２手動弁１７が開弁し、第２圧力室４１の圧力が、ボウル給水路とほぼ同じ圧力まで低下し、ダイヤフラム４０に加わる力の釣り合いが崩れ、ダイヤフラム４０が第２弁座４２から離れトラップ給水路４が開弁する。第２コマ４４の押し圧力を取り除くと、水圧による力と、コイルバネ４６による力によりパッキン４３は、第２パイロット弁座４５に密着し、第２パイロット流路１８が閉じる。第２パイロット流路１８が閉じると、洗浄水は導入路１１からブリード穴４７を通り、第２圧力室４１に流れ込み第２圧力室４１の圧力が導入路１１の圧力とほぼ同じとなり、ダイヤフラム４０が第２弁座４２に密着しトラップ給水路２が塞がれる。
【００２１】
次に、手動駆動部９について説明する。
手動駆動部９は、使用者が操作するハンドル部２１と、バルブ部８の第１手動操作弁１７、第２手動操作弁２０を開閉する手動弁開閉手段２２に機械的操作力を伝達手段する操作力伝達手段２３とからなり、ハンドル２４を回動操作することにより第１手動弁１７または第２手動弁２０を開閉させて、ボウル給水路２またはトラップ給水路４に独立して洗浄水を供給する。ハンドル２４を初期位置から反時計回り方向に９０度回すとボウル給水路２へ、初期位置から時計回り方向に９０度回すとトラップ給水路４へ洗浄水が供給され、手動操作で洗浄水を便器本体５へ供給することができる。
【００２２】
手動弁開閉手段２２は、第１コマ３３の押圧部３３ａを押圧する第１カム５０と、第２コマ４４押圧部４４ａを押圧する第２カム５１とを備えたカムシャフト５２と、カムシャフト５２を初期位置に復帰させるためのトーションバネ５３と、操作力伝達手段２３とカムシャフト５２を連結する連結軸５４とからなり、カムシャフト５２を回動させることにより、第１手動弁１７と第２手動弁２０を開閉する。
カムシャフト５２、第１カム５０、第２カム５１、カムシャフト５２の操作軸である連結軸５４はバルブ部８のケーシング８ａ内に形成した収納空間部８ｂ内に収納された状態で配設している。連結軸５４は、Ｏリング５５にてシールされ大気中に突出した突設部５６を設け、この突設部５６と操作力伝達手段２３とが係合し、操作力伝達手段２３に連結されたハンドル２４によりカムシャフト５２が回転する。
カムシャフト５２、第１カム５０、第２カム５１がパイロット作動水の合流路４８と連通した収納空間部８ｂ内に配設され水没された状態となっており、手動弁開閉手段２２と第１開閉弁１３、第２開閉弁１４の一体化ができ便器給水装置６の小型化が図れる。
【００２３】
図３は、図２のＰ方向から見たカムシャフト５２の初期状態を示す断面図である。カムシャフト５２には第１コマ３３、第２コマ４４を各々押圧する第１カム５０と第２カム５１とを配設している。カムシャフト５２を反時計回りに回動させることにより第２コマ４４が第２カム５１によって押圧されて図３では上方に移動して、パッキン４３が第２パイロット弁座４５から離れ、図示しない圧力室４１と合流路４８が矢印Ｘで示すように収納空間部８ｂを経由して連通する。それにより図示しない圧力室４１内の圧力が低下して第２開閉弁１４が開弁してトラップ給水路４に洗浄水を供給する。
同様に、カムシャフト５２を時計回りに回動させることにより第１コマ３３が第一カム５０によって押圧されて上方に移動して、パッキン３７が第１パイロット弁座３４から離れ、圧力室３１と合流路４８が連通する。それにより図示しない圧力室３１内の圧力が低下して第１開閉弁１３が開弁してボウル給水路２に洗浄水を供給する。
【００２４】
図４はトーションバネ５３の取付部を示した断面図である。図４（ａ）は、初期状態の断面図を、図４（ｂ）はハンドル２４をボウル給水側方向に９０度回転させた状態での断面図を、図４（ｃ）はハンドル２４をトラップ給水側方向に９０度回転させた状態での断面図を示す。トーションバネ５３は自然状態からバネを巻き込む方向に９０度以上回転させ、トーションバネ５３の両端部が連結軸５４の突起５７方向に付勢する状態で連結軸５４に取付られている。更に、カムシャフト５２の初期位置と連結軸５４の初期位置を合わせるために、カムシャフト５２と連結軸５４の係り合い部６３はＤカット断面をしている。トーションバネ５３は、初期位置では、無負荷状態から９０度巻き込み、ケーシング６０に設けた突起５８によりトーションバネ５３の両端部を拘束し取付られている。ハンドル２４をボウル給水方向（反時計方向）に９０度回転させると、ハンドル２４と連動し回転する連結軸５４も反時計方向に９０度回転し、連結軸５４の突起５７によりトーションバネ５３は、更に９０度巻かれる。ハンドル２４から手を離すと、トーションバネ５３の復元力により連結軸５４とハンドル２４は初期位置に戻る。次に、ハンドル２４を排出方向（時計方向）に９０度回転させると、ハンドル２４と連動し回転する連結軸５４も時計方向に９０度回転し、連結軸５４の突起５７によりトーションバネ５３は、更に９０度巻かれる。ハンドル２４から手を離すと、給水方向に回転させた時と同様に、トーションバネ５３の復元力により連結軸５４とハンドル２４を初期位置に戻る仕組みになっている。また、ハンドル２４は、時計方向、反時計方向とも９０度以上回転しないように、連結軸５４は、ケーシング６０の突起５９により回転位置が規制されている。
【００２５】
このように、ハンドルとカムシャフトを初期位置に付勢する付勢手段を備えることにより使用者がハンドルから手を離すと、付勢手段によりカムシャフトが初期位置に戻り便器洗浄バルブは給水停止動作を始めるため、使用者がハンドルを誤って操作した場合でも洗浄水が出しっぱなしになることがない。また、第１開閉弁１３のブリード穴径、ダイヤフラムの径、リフト量などにより決まる自閉吐水量をボウル１内の所定の溜め水量より多めに設定しておくと、ハンドル２４を給水側９０度操作し、すぐにハンドル２４から手を離しても、ボウル１内に十分な封水を溜めることができ、封水切れを未然に防ぐことができる。
【００２６】
図５は、ハンドル部２１の外観図を、図６は、ハンドル部２１の断面図を示す。ハンドル部２１は、操作力伝達手段２３とネジにて連結されたハンドル２４と、ハンドル２４の回転をガイドするハンドルガイド６１と、ハンドルガイド６１と共に便器本体５の陶器面を挟み込む固定ネジ６２とからなる。ハンドルガイド６１とハ固定ネジ６２で挟み込む陶器面には緩衝材６３が配設されており、陶器面の保護を行っている。ハンドル２４を図５の矢印Ｙ方向に９０度回転させると、操作力伝達手段２３、カムシャフト５２を介して第１開閉弁１３が開弁し、ボウル給水路２に洗浄水が供給される。ハンドル２４を図５の矢印Ｚ方向に９０度回転させると、操作力伝達手段２３、カムシャフト５２を介して、第２開閉弁１４が開弁し、トラップ給水路４に洗浄水が供給される。図５の初期位置から±略３０度付近は、第１カム５０、第２カム５１が第１コマ３３、第２コマ４４と接触せず、第１開閉弁１３、第２開閉弁１４とも開弁しない止水範囲を備えている。
【００２７】
図７は、操作力伝達手段２３の構成図を示す。操作力伝達手段２３は、回転式ワイヤー７０と、連結軸５４と接合する軸Ａ７１とハンドル２４と接合する軸Ｂ７２とからなる。回転式ワイヤー７０は、ワイヤーを引張りや圧縮して使用するものとは異なり回転トルクを伝達できるように、硬質線材と軟質線材６本を含めた計２１本の線材を、図８のように絡み合うように巻かれている。また、最外径に巻かれたワイヤーの損傷を防ぐ樹脂チューブ７３で覆われている。また、軸Ｂ７２は、スプライン断面をしており、回転式ワイヤー７０がねじれてセットされても、ハンドル２４のセット位置が調整できるようになっている。
【００２８】
次に、電動駆動部９について説明する。電動駆動部９は、使用者が操作するリモコン２５と、リモコン２５の信号を受信する受信手段２６と、この受信手段２６の指示に従い、第１電磁弁１６と第２電磁弁１９に所定時間電流を流す制御手段２７とを備えており、この制御手段２７により第１電磁弁１６と第２電磁弁１９を開閉させ所定の洗浄水量を便器本体５に供給する。リモコン２５には、大洗浄、小洗浄、お掃除、ボウル給水、トラップ給水などの５種類の便器洗浄スイッチ２８があり、使用者は、目的に応じてスイッチ２８を選択的に使用し、所定の便器洗浄水を供給することができる。
【００２９】
第１に実施形態においては、第２開閉弁１３、第２開閉弁１４は共にパイロット作動式であり給水圧力を利用して開弁させるため、駆動エネルギーを低減することができ、電磁弁の消費電力や、使用者のハンドル操作力（操作トルク）を減らすことができる。比較的大流量（２０Ｌ／ｍｉｎ以上）が必要な便器給水装置としては好ましい構成といえる。
【００３０】
また、便器本体を掃除する際、ボウル給水、トラップ給水の給水の順番や給水時間を使用者が自由に選択することができる。
【００３１】
（第２の実施形態）
図９は、本発明に係る第２の実施形態の便器給水装置の構成図である。
便器給水装置Ｂは、バルブ部１００、手動駆動部１０３、電気駆動部１０４から構成されている。手動駆動部１０３または電気駆動部１０４によりバルブ部１００を操作して、バルブ部１００からボウル給水路２を介して便器本体５のボウル１の洗浄及び溜水の形成を行うための吐水を行い、トラップ給水路４を介して前記ボウル１内の汚物を排出するためにトラップ３の入口に向かって洗浄水の吐水を行う。
【００３２】
バルブ部１００は、水道水を導く導入路１０１、第１の実施形態と同じ定流量弁１０２、定流量弁１０２の２次側で分岐してボウル給水路２に給水するための電磁弁１０５、トラップ給水路４に給水するための電磁弁１０６を備えている。また、電磁弁１０５、１０６のそれぞれに並列に機械的に作動する手動開閉弁１０７、１０８を配設し、手動弁開閉手段１０９によって機械的に開閉操作される。  そして、手動弁開閉手段１０９は第１の実施形態と同様に、操作力伝達手段１１０を介してハンドル１１１と連結している。
【００３３】
手動弁開閉手段１０９は第１の実施形態と同様に、回動するカムシャフト（図示しない）と、このカムシャフトに設けた手動開閉弁１０７、１０８を各々独立して開弁操作するカム（図示しない）を備えている。
手動駆動部１０３は、操作力伝達手段１１０とハンドル１１１とからなり、それらの構成は第１の実施形態と同じ構成であるので説明は省略する。また、ハンドル１１１をトーションバネにより初期状態に復帰させるための機構についても第１の実施形態と同じ構成であるので説明は省略する。
手動開閉弁１０７、１０８は手動弁開閉手段１０９の図示しないカムシャフトに設けられた各々のカムにより押圧されて弁体が弁座から離れて開弁し、カムによる押圧が開放されるとバネ力により弁体が弁座に着座する構成をしている。
【００３４】
電気駆動部１０４は、第１の実施形態と同様に、使用者が操作するリモコン１１２と、リモコン１１２の信号を受信する受信手段１１３と、この受信手段１１３の指示に従い、電磁弁１０５と１０６に所定時間電流を流す制御手段１１４とを備えており、この制御手段１１４により電磁弁１０５、１０６を開閉させ所定の洗浄水量を便器本体５に供給する。リモコン１１２には、大洗浄、小洗浄、お掃除、排出、給水などの５種類の便器洗浄スイッチ１１５があり、使用者は目的に応じて便器洗浄スイッチ１１５を選択的に使用し、所定の便器洗浄水を供給することができる
【００３５】
前記第２の実施形態においても、便器を掃除する際、ボウル給水、トラップ給水の順番や給水時間を使用者が自由に選択できる。
【００３６】
図９は、第１の実施形態の便器給水装置Ａを搭載した水洗便器８０の外観図である。バルブ８部は、便器本体５の後部の空間に収納し、手動操作のハンドル２４は陶器製の便器本体５の側面に固定されている。そのため、ハンドル２４の取付穴ばらつき、便器洗浄バルブ８の固定穴のばらつき、ハンドル２４固定穴付近の平面度のばらつき等により、手動弁開閉手段２２の連結軸５４とハンドル２４との距離にばらつきが生じため、このばらつきを可撓性を備えた操作力伝達手段２３にて吸収させている。また、連結軸５４はスラスト方向に±５ｍｍ程度移動可能な構造を有しており、この部分でも距離の調整が可能になっている。また、本発明の便器給水装置を用いることにより、給水装置を水洗便器内に収納でき、水洗便器のローシルエット化が可能となる。
【００３７】
第２の実施形態の便器給水装置Ｂを水洗便器８０に搭載した場合も前記と同様で、給水装置を水洗便器内に収納でき、水洗便器のローシルエット化が可能となる。
【図面の簡単な説明】
【図１】第１の実施形態の便器給水装置とそれを用いた水洗便器の構成図。
【図２】図１に示す便器給水装置のバルブ部の概略断面図。
【図３】図３は、図２のＰ方向から見たカムシャフト５２の初期状態を示す断面図。
【図４】トーションバネ５３の取付部を示した断面図。
【図５】ハンドル部２１の外観図。
【図６】ハンドル部２１の断面図。
【図７】操作力伝達手段の構成図。
【図８】回転式ワイヤーの構成図。
【図９】第２の実施形態の便器給水装置の構成図。
【図１０】第１の実施形態の便器給水装置を搭載した水洗便器の外観図。
【符号の説明】
Ａ、Ｂ…便器給水装置
１…ボウル
２…ボウル給水路
３…トラップ
４…トラップ給水路
５…便器本体
７…水道管
８、１００…バルブ部
８ａ…ケーシング
８ｂ…収納空間部
９、１０３…手動駆動部
１０、１０４…電動駆動部
１１、１０１…導入路
１２、１０２…定流量弁
１３…第１開閉弁
１４…第２開閉弁
１５…第１パイロット流路
１６…第１電磁弁
１７…第１手動弁
１８…第２パイロット流路
１９…第２電磁弁
２０…第２手動弁
２１…ハンドル部
２２…手動弁開閉手段
２３、１１０…操作力伝達手段
２４、１１１…ハンドル
２５、１１２…リモコン
２６、１１３…受信手段
２７…制御手段
２８、１１５…便器洗浄スイッチ
２９…コイルバネ
３０、４０…ダイヤフラム
３１…第１圧力室
３２…第１弁座
３３…第１コマ
３４…第１パイロット弁座
３５、４６…コイルバネ
３６、４７…ブリード穴
３７、４３…パッキン
４１…第２圧力室
４２…第２弁座
４４…第２コマ
４５…第２パイロット弁座
４８…合流路
５０…第１カム
５１…第２カム
５２…カムシャフト
５３…トーションバネ
５４…連結軸
５５…Ｏリング
５６…突設部
５７、５８、５９…突起
６０…ケーシング
６１…ハンドルガイド
６２…固定ネジ
６３…係り合い部
７０…回転式ワイヤー
７１…軸Ａ
７２…軸Ｂ
７３…チューブ
８０…水洗便器
１０５、１０５…電磁弁
１０７、１０８…手動開閉弁
１０９…手動弁開閉手段
【図１】
2004308261.tif 000003
【図２】
2004308261.tif 000004
【図３】
2004308261.tif 000005
【図４】
2004308261.tif 000006
【図５】
2004308261.tif 000007
【図６】
2004308261.tif 000008
【図７】
2004308261.tif 000009
【図８】
2004308261.tif 000010
【図９】
2004308261.tif 000011
【図１０】
2004308261.tif 000012